(57)【要約】      （修正有）【課題】作業者が作業中に忌避成分に触れにくい光ケーブルを提供する。【解決手段】光ケーブル１は、内部に光ファイバ２Ａを有する内層ケーブル２と、内層ケーブル２の周囲に配置された押え巻きテープ６と、前記押え巻きテープの周囲に配置された外被８であって、忌避成分を含有する忌避層８Ａと、忌避層８Ａの外表面に形成された保護層８Ｂとを有する外被８と、を有し、押え巻きテープ６が忌避層８Ａの内面に接着されていることを特徴とする。【選択図】図１
2016045352.tif 000002
【特許請求の範囲】
【請求項１】
内部に光ファイバを有する内層ケーブルと、
前記内層ケーブルの周囲に配置された押え巻きテープと、
前記押え巻きテープの周囲に配置された外被であって、忌避成分を含有する忌避層と、前記忌避層の外表面に形成された保護層とを有する外被と、
を有し、
前記押え巻きテープが前記忌避層の内面に接着されていること
を特徴とする光ケーブル。
【請求項２】
請求項１に記載の光ケーブルであって、
前記外被の内部で巻き回された前記押え巻きテープが広がろうとする力によって、前記押え巻きテープが前記忌避層の内面に接着されていることを特徴とする光ケーブル。
【請求項３】
請求項１に記載の光ケーブルであって、
前記押え巻きテープと前記忌避層の内面との間が熱融着されていることを特徴とする光ケーブル。
【請求項４】
請求項１に記載の光ケーブルであって、
前記押え巻きテープの少なくとも一部が前記忌避層の内面に食い込んでいることを特徴とする光ケーブル。
【請求項５】
請求項１に記載の光ケーブルであって、
前記押え巻きテープと前記忌避層の内面との間が接着剤により接着されていることを特徴とする光ケーブル。
【請求項６】
請求項１〜５のいずれかに記載の光ケーブルであって、
前記内層ケーブルと前記押え巻きテープとの間に、繊維材料から構成された介在層が配置されていることを特徴とする光ケーブル。
【請求項７】
請求項６に記載の光ケーブルであって、
前記介在層は、前記内層ケーブルの周囲に前記繊維材料を螺旋状に配置して構成されていることを特徴とする光ケーブル。
【請求項８】
請求項６に記載の光ケーブルであって、
前記介在層は、前記内層ケーブルに縦添えさせた前記繊維材料に紐を螺旋状に巻き付けることにより構成されていることを特徴とする光ケーブル。
【請求項９】
請求項１〜８のいずれかに記載の光ケーブルであって、
前記押え巻きテープの内側にメタル線が配置されていることを特徴とする光ケーブル。
【請求項１０】
（１）内部に光ファイバを有する内層ケーブルと、
前記内層ケーブルの周囲に配置された押え巻きテープと、
前記押え巻きテープの周囲に配置された外被であって、忌避成分を含有する忌避層と、前記忌避層の外表面に形成された保護層とを有する外被と、
を有する光ケーブルの周方向に沿って前記外被及び前記押え巻きテープを切断すること、及び、
（２）前記外被の内面に前記押え巻きテープを接着させた状態で、前記外被及び前記押え巻きテープを除去すること
を行うことを特徴とする光ケーブルの外被除去方法。
【発明の詳細な説明】
【技術分野】
【０００１】
本発明は、光ケーブル及び光ケーブルの外被除去方法に関する。
【背景技術】
【０００２】
鼠や栗鼠などの小動物やカラスなどの鳥獣、蟻などの虫から光ケーブルを保護する鳥虫獣対策（咬害対策）として、光ケーブルの外装に金属や硬質材などの防護層を設けて光ケーブルの機械的な強度を高める対策が一般的に行われている。但し、このような防護層を設けた場合、光ケーブルが高コストになり、また、光ケーブルの可撓性が損なわれて施工性が低下するおそれがある。
【０００３】
そこで、光ケーブルの外被の構成材料に、防鼠剤や防虫剤などの忌避成分を含有させることが提案されている（特許文献１参照）。また、特許文献１には、辛味成分を添加した外被の表面（外側）にコーティングを施して、耐候性及び耐摩耗性を向上させることも提案されている。
なお、咬害対策として、防鼠剤を添加した保護管を所定のルートに布設し、この保護管の中に咬害対策を施していないケーブルを布設することも提案されている（特許文献２）。
【先行技術文献】
【特許文献】
【０００４】
【特許文献１】特開２００５−３７５２６号公報
【特許文献２】特開２００２−２７１９３４号公報
【発明の概要】
【発明が解決しようとする課題】
【０００５】
光ケーブルの外被の構成材料に忌避成分を含有させた場合、作業者が外被を素手で触れてしまうと、作業者の手がかぶれてしまうおそれがある。特許文献１の光ケーブルの表面にはコーティング層が形成されているものの、光ケーブルの外被を切り裂いて光ファイバを口出ししたときに、光ファイバの長手方向に沿って切り裂かれた外被の切り口に作業者が触れてしまうおそれがある。
【０００６】
本発明は、外被の構成材料に忌避成分を含有させた光ケーブルであって、作業者が作業中に忌避成分に触れにくい光ケーブルを提供することを目的とする。
【課題を解決するための手段】
【０００７】
上記目的を達成するための主たる発明は、内部に光ファイバを有する内層ケーブルと、前記内層ケーブルの周囲に配置された押え巻きテープと、前記押え巻きテープの周囲に配置された外被であって、忌避成分を含有する忌避層と、前記忌避層の外表面に形成された保護層とを有する外被と、を有し、前記押え巻きテープが前記忌避層の内面に接着されていることを特徴とする光ケーブルである。
【０００８】
本発明の他の特徴については、後述する明細書及び図面の記載により明らかにする。
【発明の効果】
【０００９】
本発明によれば、作業者が作業中に忌避成分に触れにくくなる。
【図面の簡単な説明】
【００１０】
【図１】図１は、光ケーブル１の断面図である。
【図２】図２Ａ及び図２Ｂは、ケーブル１を製造する製造装置の説明図である。
【図３】図３Ａ〜図３Ｃは、光ケーブル１の口出し作業の説明図である。
【図４】図４は、別の光ケーブルの断面図である。
【図５】図５は、更に別の光ケーブル１の断面図である。
【発明を実施するための形態】
【００１１】
後述する明細書及び図面の記載から、少なくとも以下の事項が明らかとなる。
【００１２】
内部に光ファイバを有する内層ケーブルと、前記内層ケーブルの周囲に配置された押え巻きテープと、前記押え巻きテープの周囲に配置された外被であって、忌避成分を含有する忌避層と、前記忌避層の外表面に形成された保護層とを有する外被と、を有し、前記押え巻きテープが前記忌避層の内面に接着されていることを特徴とする光ケーブルが明らかとなる。
このような光ケーブルによれば、作業者が作業中に忌避成分に触れにくくなる。
【００１３】
前記外被の内部で巻き回された前記押え巻きテープが広がろうとする力によって、前記押え巻きテープが前記忌避層の内面に接着されていることが望ましい。また、前記押え巻きテープと前記忌避層の内面との間が熱融着されていることが望ましい。また、前記押え巻きテープの少なくとも一部が前記忌避層の内面に食い込んでいることが望ましい。また、前記押え巻きテープと前記忌避層の内面との間が接着剤により接着されていることが望ましい。これにより、作業者が作業中に忌避成分に触れにくくなる。
【００１４】
前記内層ケーブルと前記押え巻きテープとの間に、繊維材料から構成された介在層が配置されていることが望ましい。これにより、内層ケーブルの損傷を抑制できる。
【００１５】
前記介在層は、前記内層ケーブルの周囲に前記繊維材料を螺旋状に配置して構成されていることが望ましい。これにより、内層ケーブルの損傷をより抑制できる。
【００１６】
前記介在層は、前記内層ケーブルに縦添えさせた前記繊維材料に紐を螺旋状に巻き付けることにより構成されていることが望ましい。これにより、内層ケーブルの損傷をより抑制できる。
【００１７】
前記押え巻きテープの内側にメタル線が配置されていることが望ましい。これにより、光ケーブルに内層ケーブルだけでなく、メタル線も配置できる。
【００１８】
（１）内部に光ファイバを有する内層ケーブルと、前記内層ケーブルの周囲に配置された押え巻きテープと、前記押え巻きテープの周囲に配置された外被であって、忌避成分を含有する忌避層と、前記忌避層の外表面に形成された保護層とを有する外被と、を有する光ケーブルの周方向に沿って前記外被及び前記押え巻きテープを切断すること、及び、（２）前記外被の内面に前記押え巻きテープを接着させた状態で、前記外被及び前記押え巻きテープを除去することを行うことを特徴とする光ケーブルの外被除去方法が明らかとなる。
このような光ケーブルの外被除去方法によれば、作業者が作業中に忌避成分に触れにくくなる。
【００１９】
＝＝＝光ケーブル＝＝＝
＜構成＞
図１は、光ケーブル１の断面図である。光ケーブル１は、内層ケーブル２と、介在層４と、押え巻きテープ６と、外被８とを有する。後述するように、外被８は、忌避成分を有する忌避層８Ａと、忌避層８Ａの外表面に形成された保護層８Ｂとを有し、押え巻きテープ６は、忌避層８Ａの内面に接着されている（忌避層８Ａの内面にくっついている）。なお、「接着」とは、２つの物体（ここでは押え巻きテープ６と忌避層８Ａ）がくっつくことを意味する。接着剤を用いて２つの物体をくっつけた場合だけでなく、接着剤を用いずに２つの物体をくっつけた場合も「接着」に含まれる。
【００２０】
内層ケーブル２は、内部に光ファイバ２Ａを有するケーブルである。内層ケーブル２の光ファイバ２Ａは、ゴム若しくはプラスチックなどからなる外被構成材料によって被覆されている。ここでは、内層ケーブル２として、インドアケーブルが採用されている。
【００２１】
内層ケーブル２の内部の光ファイバ２Ａは、例えば光ファイバ心線である。内層ケーブル２の内部の光ファイバ２Ａは、１本でも良いし、複数本でも良い。内層ケーブル２の内部に複数の光ファイバ２Ａを配置する場合には、複数の光ファイバ２Ａが光ファイバテープで構成されていても良い。内層ケーブル２は、光ファイバ２Ａの他に、抗張力体（テンションメンバ）や引き裂き紐などを内部に有していても良い。
【００２２】
介在層４は、内層ケーブル２の外側と押え巻きテープ６の内側との間に配置された繊維材料から構成される層である。介在層４は、作業者が光ケーブル１の外被８を切断工具で切断する際に（後述）、内層ケーブル２が切断工具の刃で損傷することを抑制する機能を有する。
【００２３】
介在層４を構成する繊維材料は、プラスチック繊維又はガラス繊維から構成されている。ここでは、介在層４を構成する繊維材料として、プラスチック繊維であるＰＰヤーン（ＰＰ：ポリプロピレン）が採用されている。但し、介在層４を構成する繊維材料として、他のプラスチックヤーンも使用可能である。また、介在層４を構成する繊維材料として、ガラス繊維であるガラスヤーンも使用可能である。
【００２４】
介在層４を構成する繊維材料の耐熱性は、外被８の耐熱性よりも高いことが好ましい。これにより、外被８の押出成形時の熱による繊維材料の溶融や変形を抑制することができる。
【００２５】
図中の介在層４は、４本の介在物４Ａ（ここでは４本のＰＰヤーン）から構成されている。４本のＰＰヤーンは、内層ケーブル２の外周を一方向に螺旋状に巻き付けられている。内層ケーブル２の外周に繊維材料を螺旋状に巻き付けることによって、内層ケーブル２の露出を少なくし、内層ケーブル２が切断工具の刃で損傷することをより抑制できる。
【００２６】
介在層４を構成する複数の介在物４Ａは、光ケーブル１の周方向に等間隔で配置されていることが好ましいが、異なる間隔で配置されても良い。周方向に隣接する介在物４Ａが互いに一部重なるように配置されることが好ましい。これにより、内層ケーブル２の露出を抑制できる。但し、隣接する介在物４Ａが周方向に離間していても良い。
介在層４を構成する介在物４Ａ（例えばＰＰヤーン）が、螺旋状に巻き付けられるのではなく、縦添えされていても良い。但し、介在物４Ａを内層ケーブル２に縦添えさせた場合には、介在物４Ａを螺旋状に巻き付けた場合と比べると介在物４Ａの位置が安定しない。そこで、内層ケーブル２に縦添えした介在物４Ａの周囲に紐を螺旋状に巻き付けることが望ましい。これにより、介在物４Ａの位置が安定する。巻き付ける紐としては、ナイロン紐、毛糸、木綿紐、ポリエステル紐及びアラミド繊維などが好適に使用される。
また、介在層４を構成する介在物４Ａの本数は、４本に限らず、他の本数でも良い。
【００２７】
介在層４を構成する介在物４Ａは、光ケーブル１の径方向の寸法よりも、光ケーブル１の周方向の寸法が長いことが望ましい。介在物４Ａがこのような形状であれば、内層ケーブル２の外周を覆いやすくなる。介在物４Ａの断面形状は、楕円形状でも良いし、矩形（若しくはテープ状）でも良い。
【００２８】
内層ケーブル２の外側と押え巻きテープ６の内側との間に介在層４を配置しなくても良い。この場合、内層ケーブル２の周囲には、押え巻きテープ６が直接配置されることになる。
【００２９】
押え巻きテープ６は、内層ケーブル２の周囲に配置され、外被８の内面（忌避層８Ａの内面）を内側から覆う部材である。ここでは、押え巻きテープ６は、介在層４を介しながら内層ケーブル２の周囲に配置されている。押え巻きテープ６が外被８の内面を内側から覆うことにより、作業者が外被８を除去する際に、作業者が忌避層８Ａに触れにくくなる。
【００３０】
押え巻きテープ６には、ポリイミドテープ、ポリエステルテープ、ポリプロピレンテープ、ポリエチレンテープ等が使用される。この他、押え巻きテープ６として不織布を利用することができる。この場合、不織布は、ポリイミド、ポリエステル、ポリプロピレン、ポリエチレン等をテープ状に形成したものが使用される。押え巻きテープ６は、不織布にポリエステルフィルム等のフィルムを貼り合わせたものでも良い。ここでは、押え巻きテープ６として、ポリエステルテープが採用されている。
【００３１】
外被８は、押え巻きテープ６の周囲を被覆するシース材から構成される部位である。ここでは、外被８を構成するシース材として難燃性ポリオレフィン系樹脂が採用されており、外被８の厚さは約２．０ｍｍである。なお、シース材としては、例えばポリ塩化ビニル（ＰＶＣ）、ポリエチレン（ＰＥ）、ナイロン（商標登録）、フッ化エチレン又はポリプロピレン（ＰＰ）等の樹脂が使用可能である。
【００３２】
外被８は、忌避層８Ａと、保護層８Ｂとを有する。
忌避層８Ａは、忌避成分を含有する層である。外被８に忌避成分が含有されるため、例えば鳥虫獣が光ケーブル１を試し噛みすると、忌避層８Ａから鳥虫獣の嫌がる匂いや成分が出て鳥虫獣が光ケーブル１から退き、光ファイバ２Ａの断線などを防ぐ。ここでは、忌避層８Ａとして、防鼠効果を有する辛味成分であるカプサイシンを有効成分濃度０．１％以上で含有した難燃性ポリオレフィン系樹脂が採用されており、忌避層８Ａの厚さは約１．５ｍｍである。忌避成分を構成する辛味成分としては、ピペリン、シャビシン、ピペリジン、サンショオール、サンショアミド、ゼラニオール、ジンゲロール、ジンゲロン、ショウガオール等が使用可能である。なお、こしょう、山椒、生姜、辛子、わさびなどの辛味材料をシース材に練り込むことによって、忌避層８Ａが構成されても良い。
また、忌避層８Ａには、忌避成分として防虫・殺虫成分が含有されていても良い。例えば、有機リン系殺虫剤として、クロールピリホス、ダイアジノン、フォスメット、マラチオンが使用可能である。また、有機塩素系殺虫剤として、ＤＤＴ、ＴＤＥ、メトキシクロール、リンデン、クロルデンが使用可能である。また、カルバメート系殺虫剤やピレトリン殺虫剤などが使用可能である。
【００３３】
保護層８Ｂは、忌避層８Ａの外表面に形成された層である。保護層８Ｂには忌避成分が含まれていない。保護層８Ｂが忌避層８Ａの外表面に形成されることによって、作業者が外被８を除去する際に、作業者が忌避成分に触れにくくなる。ここでは、保護層８Ｂとして、忌避層８Ａの主成分と同じ難燃性ポリオレフィン系樹脂が採用されており、保護層８Ｂの厚さは約０．５ｍｍである。なお、忌避層８Ａの主成分とは異なる材料で保護層８Ｂを構成しても良い。
保護層８Ｂは、忌避層８Ａと同様に、押出成形によって形成される。但し、忌避層８Ａを押出成形によって形成した後、忌避層８Ａの外側をコーティングすることによって保護層８Ｂを形成しても良い。例えば、フッ素樹脂コーティング、ウレタン樹脂コーティング、ナイロンコーティング、塩化ビニルコーティング、ポリエチレンコーティング等のコーティングを施すことによって、忌避層８Ａを形成することが可能である。
保護層８Ｂは、作業者が外被８に接触することを防ぐ機能だけでなく、光ケーブル１の耐候性や耐摩擦性を向上させる機能を有することが好ましい。
【００３４】
本実施形態では、押え巻きテープ６が外被８の内面（忌避層８Ａの内面）に接着されている。これにより、作業者が光ケーブル１の外被８を除去する際に（後述）、押え巻きテープ６が外被８と一緒に除去されるため、作業者が忌避層８Ａの内面に触れにくくなる。ここでは、押え巻きテープ６と忌避層８Ａを軟化点まで熱することによって押え巻きテープ６と忌避層８Ａとを熱融着させることによって、押え巻きテープ６が外被８の内面（忌避層８Ａの内面）に接着されている。この熱融着では、外被８（忌避層８Ａ又は保護層８Ｂ）の押出成形時の熱を利用しても良い。
【００３５】
熱融着の代わりに、押え巻きテープ６の一部を忌避層８Ａに食い込ませることによって、押え巻きテープ６を忌避層８Ａの内面に接着させても良い。この場合には、忌避層８Ａを形成するときの樹脂の押出圧を調整することによって、押え巻きテープ６の皺を樹脂に食い込ませて、若しくは押え巻きテープ６の繊維を樹脂に食い込ませて、押え巻きテープ６と忌避層８Ａの内面との間を物理的に接着させることができる。
【００３６】
また、接着剤によって、押え巻きテープ６と忌避層８Ａの内面との間を化学的に接着させても良い。この場合には、押え巻きテープ６の周囲に接着剤を塗布した状態で押え巻きテープ６の周囲に忌避層８Ａとなる樹脂を形成すると良い。
【００３７】
更に別の方法として、内層ケーブル２の周囲に渦巻き状に巻き回された押え巻きテープ６が広がろうとする力によって（押え巻きテープ６のバネ力によって）、押え巻きテープ６を忌避層８Ａの内面に接着させる方法もある。
図２Ａ及び図２Ｂは、この方法でケーブル１を製造する製造装置の説明図である。図２Ａに示すように、介在層４を構成する介在物４Ａを螺旋状に巻いた内層ケーブル２と、押え巻きテープ６とが押出機に供給される。図２Ｂに示すように、介在物４Ａを螺旋状に巻いた内層ケーブル２の周囲に押え巻きテープ６が渦巻き状に巻き回される。渦巻き状の押え巻きテープ６は、不図示の工具（テープフォーマ）によって、下流側ほど外径が絞られて先細になっている。押え巻きテープ６には加熱による癖付けは施されていないため、テープフォーマ（押え巻きテープ６を先細の渦巻き状に絞る不図示の工具）を押え巻きテープ６が通過すると、押え巻きテープ６は元の状態に広がろうとするが、ここでは、押え巻きテープ６を渦巻き状に巻き回した直後に（押え巻きテープ６が広がってしまう前に）、押え巻きテープ６を巻いた内層ケーブル２を押出機に送り出して、押え巻きテープ６の周囲に樹脂（忌避層８Ａ）を形成する。なお、押え巻きテープ６が先細に巻き回されているため、不図示のテープフォーマを通過した押え巻きテープ６はすぐに元の状態に広がりにくい状態になるので、押え巻きテープ６が広がってしまう前に樹脂（忌避層８Ａ）を形成することが容易になる。これにより、押え巻きテープ６が広がろうとする力によって（押え巻きテープ６のバネ力によって）、押え巻きテープ６を忌避層８Ａの内面に接着できる。
【００３８】
本実施形態では、忌避層８Ａの内面を押え巻きテープ６で覆うだけなので、光ケーブル１の製造工程が簡潔なものになる。仮に押え巻きテープ６ではなく樹脂で忌避層８Ａの内面を覆うとすると、光ケーブル１の製造工程が増えてしまい、また、樹脂の押出圧の調整などが必要になってしまい、樹脂の使用量が増えるため光ケーブル１の材料費が上がり、光ケーブル１が高コストになってしまう。
【００３９】
＜口出し作業方法（外被除去方法）＞
図３Ａ〜図３Ｃは、光ケーブル１の口出し作業の説明図である。
【００４０】
まず、作業者は、図３Ａに示すように、光ケーブル１の外被８及び押え巻きテープ６を切断工具１０で周方向に沿って切断し、外被８及び押え巻きテープ６を輪切りにする。切断工具１０としては、刃の挿入深さを調整可能であり、刃の対向する位置にガイドが設けられているものが好ましい。例えば、切断工具１０として、ジェフコム株式会社製の同軸ケーブルストリッパＣＣＳ−６００や、ＩＤＥＡＬ製のCoaxial cable stripper等が使用可能である。
【００４１】
本実施形態では、外被８の忌避層８Ａの内面に押え巻きテープ６が接着されている。このため、外被８とともに押え巻きテープ６を切断することが容易になっている。
【００４２】
また、本実施形態では、内層ケーブル２（インドアケーブル）の周囲には介在層４を構成する繊維材料が配置されている。このため、切断工具１０の刃が押え巻きテープ６よりも内側に達しても、内層ケーブル２の損傷が抑制される。更に、本実施形態では、介在層４を構成する繊維材料が、内層ケーブル２の周囲に螺旋状に配置されている。これにより、内層ケーブル２の露出面積が小さくなるため、切断工具１０の刃が内層ケーブル２に接する可能性が低減され、内層ケーブル２の損傷をより抑制できる。このように内層ケーブル２の周囲に介在層４が配置されているため、外被８とともに押え巻きテープ６を切断することが容易になり、安全な作業が可能になるという効果もある。
【００４３】
なお、外被８の表面には保護層８Ｂが形成されるため、作業者が切断作業時に光ケーブル１を掴んでも、作業者が忌避層８Ａに接触せずに済む。
【００４４】
次に、作業者は、図３Ｂに示すように、光ケーブル１の長手方向に沿って外被８を引き抜き、外被８を除去する。外被８の外表面には保護層８Ｂがあるので、作業者が外被８を引き抜くときに光ケーブル１を掴んでも、作業者が忌避層８Ａに接触せずに済む。また、外被８の内面に押え巻きテープ６が接着された状態で、外被８が引き抜かれるため、作業者が忌避層８Ａに触れにくくなっている。
【００４５】
本実施形態では、光ケーブル１の周方向に沿って外被８を切断しているため（図３Ａ参照）、図３Ｂに示すように、切断面が、光ケーブル１の周方向になる。このため、切断面が光ケーブル１（光ファイバ２Ａ）の長手方向に沿っている場合と比べると、忌避層８Ａの切り口の露出が少ない。したがって、光ケーブル１の周方向に沿って外被８を切断することによって、作業者が忌避層８Ａに触れにくくなる。なお、仮に光ケーブル１の外被８がケーブル長手方向に沿って切断されてしまうと（外被８が切り裂かれてしまうと）、外被の切り口が長いため、作業者が切り口に触れやすくなってしまう。
【００４６】
最後に、作業者は、図３Ｃに示すように、内層ケーブル２（インドアケーブル）のノッチに沿って内層ケーブル２を切り裂いて、内層ケーブル２の光ファイバ２Ａを口出しする。本実施形態の内層ケーブル２の外被構成材料には忌避層８Ａは含まれていないので、光ファイバ２Ａの長手方向に沿って内層ケーブル２を切り裂いても、問題は生じない。
【００４７】
＜実施例＞
・実施例１
細径低摩擦インドアケーブルの周囲に、介在層４として４本のＰＰヤーン３０００デニールを一方向に螺旋状に巻き付け、押え巻きテープ６としてポリエステルテープを採用し、押え巻きテープ６の周囲に外被８を配置して、図１の構成の光ケーブル１を作成した。外被８を構成するシース材として難燃性ポリオレフィン系樹脂が採用されている。外被８の忌避層８Ａには、防鼠効果を有する辛味成分であるカプサイシンを有効成分濃度０．１％以上で含有した難燃性ポリオレフィン系樹脂が採用されており、忌避層８Ａの厚さは約１．５ｍｍである。保護層８Ｂには、忌避層８Ａの主成分と同じ難燃性ポリオレフィン系樹脂が採用されており、忌避成分は含まれておらず、保護層８Ｂの厚さは約０．５ｍｍである。
押え巻きテープ６は、熱融着によって、忌避層８Ａの内面に接着されている。また、押え巻きテープ６は、厚さの異なる４種類（０．０１６ｍｍ、０．０１９ｍｍ、０．０２５ｍｍ及び０．０３０ｍｍ）をそれぞれ用いた。
比較例として、熱融着を施さなかった光ケーブルを作成した。
【００４８】
光ケーブルの評価方法として、口出し作業で外被８（及び押え巻きテープ６）を輪切りにして外被８を除去した際に、押え巻きテープ６が外被８の内面に接着されたまま外被８が引き抜かれるかどうかを基準に評価を行った。３種類の口出し長さ（５０ｍｍ、１００ｍｍ、５００ｍｍ）でそれぞれ評価を行った。なお、光ケーブルを輪切りにする際には、切断工具１０の刃の挿入深さは、押え巻きテープ６の厚さに応じて適宜調整されている。評価結果は、次の表１に示す通りである。
【表１】
2016045352.tif 000003
【００４９】
表１では、押え巻きテープ６が外被８の内面に接着されたまま外被８が引き抜かれたものを○印で示している。また、押え巻きテープ６を除去できずに残ってしまったものを×印で示している。
表１に示す通り、押え巻きテープ６が忌避層８Ａの内面に融着されていれば、口出し長さによらず、外被８を除去する際に、押え巻きテープ６が外被８の内面に接着されたまま外被８を引き抜くことが可能であることが確認された。なお、外被８とともに押え巻きテープ６を輪切りにする切断作業を容易にするには、押え巻きテープ６の厚さが０．０２５ｍｍ以下であることが望ましいことが確認された。
【００５０】
・実施例２
実施例１と同様に、介在層４として４本のＰＰヤーン３０００デニールを一方向に螺旋状に巻き付けて、図１の構成の光ケーブル１を作成した。比較例として、介在層４であるＰＰヤーンを螺旋状ではなく、縦添えで配置して（インドアケーブルの長手方向に沿って配置して）、光ケーブルを作成した。
次に、光ケーブルを５００ｍｍで切断し、光ケーブルをエポキシ樹脂で固定し、ケーブル長手方向の位置がそれぞれ異なる１０箇所で光ケーブルを切断し、それぞれの断面において、インドアケーブルの露出率（インドアケーブルの周長に対する介在層４の存在する領域の周長の割合）を評価した。なお、インドアケーブルの露出率が低ければ、光ケーブルの外被８（及び押え巻きテープ６）を輪切りする際に、インドアケーブルを損傷させにくくなると考えられる。評価結果は、次の表２に示す通りである。
【表２】
2016045352.tif 000004
【００５１】
表２の比較例に示す通り、ＰＰヤーンを縦添えした場合、ＰＰヤーンの位置が安定せず、インドアケーブルの一部が露出することが確認された。一方、表２の実施例２に示す通り、ＰＰヤーンを螺旋状に巻き付けた場合、ＰＰヤーンの位置が安定し、更にインドアケーブルの露出を抑制できることが確認された。
この評価結果から、介在層４を構成する繊維材料をインドアケーブル（内層ケーブル）の周囲に螺旋状に配置することが望ましいことが確認された。但し、繊維材料をインドアケーブルに縦添えさせた場合であっても、インドアケーブルの外周の少なくとも一部が覆われるため、介在層４を設けない場合と比べればインドアケーブルを損傷させにくくなると考えられる。
【００５２】
・実施例３
上記の比較例と同様に、介在層４であるＰＰヤーンを螺旋状ではなく、縦添えで配置して（インドアケーブルの長手方向に沿って配置して）、更に縦添えしたＰＰヤーンの周囲に紐を螺旋状に巻き付けて、光ケーブルを作成した。そして、上記の実施例２と同様に、実施例３の光ケーブルを評価した。評価結果は、次の表３に示す通りである。
【表３】
2016045352.tif 000005
【００５３】
表３の実施例３に示す通り、紐を螺旋状に巻き付けた場合、ＰＰヤーンの位置が安定し、更にインドアケーブルの露出を抑制できることが確認された。なお、既に表２の比較例で示した通り、インドアケーブルに紐を素巻きしていない場合には、インドアケーブルの一部が露出することが確認された。
この評価結果から、介在層４を構成する繊維材料をインドアケーブル（内層ケーブル）の周囲に縦添えさせる場合には、インドアケーブルに縦添えした介在物の周囲に紐を螺旋状に巻き付けることが望ましいことが確認された。
【００５４】
＝＝＝その他＝＝＝
上記の実施形態は、本発明の理解を容易にするためのものであり、本発明を限定して解釈するためのものではない。本発明は、その趣旨を逸脱することなく、変更・改良され得ると共に、本発明には、その等価物が含まれることは言うまでもない。
【００５５】
＜光ケーブル１について＞
前述の実施形態によれば、押え巻きテープ６の内側には、内層ケーブル２（インドアケーブル）と介在層４だけが配置されていた。但し、他の部材が押え巻きテープ６の内側に配置されても良い。
図４は、別の光ケーブル１の断面図である。この光ケーブル１は、２本のメタル線３を有する。ここでは、撚られた２本のメタル線３が内層ケーブル２に縦添えされている。但し、２本のメタル線３が撚られていなくても良い。押え巻きテープ６の内側にメタル線３を配置する場合、図４に示すように、メタル線３の周囲に介在層４を配置することが望ましい。これにより、外被８（及び押え巻きテープ６）を輪切りにする際に、メタル線３が切断工具１０の刃によって損傷することを抑制できる。また、この場合においても、介在層４を構成する複数の介在物４Ａを内層ケーブル２及びメタル線３の周囲に螺旋状に巻き付ければ、内層ケーブル２及びメタル線３の露出を少なくし、内層ケーブル２及びメタル線３が切断工具１０の刃で損傷することをより抑制できる。なお、内層ケーブル２とメタル線３とを一緒に介在物４Ａで巻き付けても良いし、内層ケーブル２とメタル線３を別々に介在物４で巻き付けても良い。
【００５６】
また、前述の実施形態によれば、光ケーブル１の内層ケーブル２（インドアケーブル）と押え巻きテープ６との間に、繊維材料から構成された介在層４が配置されていた。但し、図５に示すように、光ケーブル１が介在層４を備えていなくても良い。この場合、外被８（及び押え巻きテープ６）を輪切りにする際に、切断工具１０の刃が内層ケーブル２の周囲に接触し、内層ケーブル２を損傷させるおそれがある。このため、光ファイバ２Ａを損傷させない程度に内層ケーブル２が損傷することが許容されるのであれば、光ケーブル１が介在層４を備えていなくても良い。
【符号の説明】
【００５７】
１  光ケーブル、２  内層ケーブル、２Ａ  光ファイバ、
３  メタル線、４  介在層、４Ａ  介在物、６  押え巻きテープ、
８  外被、８Ａ  忌避層、８Ｂ  保護層、
１０  切断工具
【図１】
2016045352.tif 000006
【図２】
2016045352.tif 000007
【図３】
2016045352.tif 000008
【図４】
2016045352.tif 000009
【図５】
2016045352.tif 000010